(57)【要約】【課題】原稿カバー部の変位を適度に規制することで、負荷がかかる箇所の破損を抑制しつつ、過剰な変位を抑制可能な画像読取装置を提供すること。【解決手段】複合機１において、本体部３と原稿カバー部４との間にはヒンジ部６１が介装され、原稿カバー部４が本体部３に対して変位可能に支持されている。原稿カバー部４が第一位置（選択図（ａ））から第二位置（選択図（ｂ））へ変位した際、第一規制部６１が原稿カバー部４に当接して、原稿カバー部４の変位が規制される。第一規制部６１による規制に抗して更に原稿カバー部４が第二位置から第三位置（選択図（ｃ））へ変位した際、第二規制部６２が原稿カバー部４に当接し、原稿カバー部４が第三位置を超える位置（選択図（ｄ））へ変位することを規制する。【選択図】図５
2014110470.tif 000002
【特許請求の範囲】
【請求項１】
原稿載置面を有する本体部と、
前記本体部に設けられ、前記原稿載置面に載置された原稿の画像を読み取る読取部と、
少なくとも第一位置から第二位置を経て第三位置に至る範囲を変位可能で、前記第一位置へ変位した際には前記原稿載置面を覆う一方、前記第二位置へ変位した際及び前記第三位置へ変位した際には前記原稿載置面を露出させる原稿カバー部と、
前記本体部と前記原稿カバー部との間に介装されて、前記原稿カバー部を前記本体部に対して相対的に変位可能に支持するヒンジ部と、
前記原稿カバー部が前記第一位置側から前記第二位置側へと変位した際、前記原稿カバー部が前記第二位置に到達すると前記原稿カバー部に当接して、前記原稿カバー部が前記第三位置側へ変位することを規制する第一規制部と、
前記第一規制部による規制に抗して更に前記原稿カバー部が前記第二位置側から前記第三位置側へと変位した際、前記原稿カバー部が前記第三位置に到達すると前記原稿カバー部に当接して、前記原稿カバー部が前記第三位置を超えて変位することを規制する第二規制部と
を備える画像読取装置。
【請求項２】
前記原稿カバー部が前記第三位置に到達した際に、前記第一規制部及び前記第二規制部の双方が、前記原稿カバー部が前記第三位置を超えて変位することを規制する
請求項１に記載の画像読取装置。
【請求項３】
前記第一規制部は、前記ヒンジ部上で、前記原稿カバー部が前記第二位置へ変位した際に前記原稿カバー部に当接する位置に形成され、
前記第二規制部は、前記本体部上で、前記原稿カバー部が前記第三位置へ変位した際に前記原稿カバー部に当接する位置に形成されている
請求項１又は請求項２に記載の画像読取装置。
【請求項４】
前記本体部には、前記ヒンジ部が挿入されて当該ヒンジ部を摺動可能に保持する摺動部が設けられ、
前記ヒンジ部は、前記原稿カバー部が前記第二位置を超えて変位する際に当該変位に伴って前記摺動部に対して摺動する
請求項１〜請求項３のいずれか一項に記載の画像読取装置。
【請求項５】
前記摺動部の外側に、前記摺動部を補強する補強部が設けられている
請求項４に記載の画像読取装置。
【請求項６】
前記原稿カバー部は、前記ヒンジ部に対して回動可能で、
前記摺動部は、前記ヒンジ部を囲む位置に配設された壁を有し、
前記補強部は、前記壁の外面に突設されたリブによって構成され、
前記リブは、前記原稿カバー部の前記ヒンジ部に対する回動中心と平行な方向を厚さ方向とする板状体によって構成されている
請求項５に記載の画像読取装置。
【請求項７】
前記本体部には、前記リブの上方を覆う上部外装部が設けられ、
前記上部外装部の上面は、前記原稿カバー部の前記ヒンジ部に対する回動中心よりも下側となる位置にあり、
前記第二規制部は、前記上部外装部上で、前記原稿カバー部の前記ヒンジ部に対する回動中心から離間した位置に設けられている
請求項６に記載の画像読取装置。
【請求項８】
前記上部外装部は、前記摺動部から前記第二規制部までの間が、下方に向かって凹んだ形状とされている
請求項７に記載の画像読取装置。
【発明の詳細な説明】
【技術分野】
【０００１】
本発明は、画像読取装置に関する。
【背景技術】
【０００２】
従来、フラットベッド型と呼ばれる画像読取装置において、原稿載置面を覆う原稿カバーの支持構造としては、原稿カバーを本体部に対して開閉可能に支持するためのヒンジを備えたものが知られている（例えば、特許文献１参照。）。
【０００３】
通常、この種のヒンジを備える支持構造では、原稿カバーが所定角度まで開かれたところで、原稿カバー又は原稿カバーに連動して変位する箇所（以下、これらを総称して原稿カバー等という。）に規制部が当接し、上記所定角度を超える位置まで原稿カバーが開放されるのを防止ないし抑制している。
【先行技術文献】
【特許文献】
【０００４】
【特許文献１】特許４５７３０６１号公報
【発明の概要】
【発明が解決しようとする課題】
【０００５】
しかしながら、上述のような規制部が原稿カバー等に当接した時点で、直ちに原稿カバーの変位を完全に停止させる構造にすると、その停止位置から更に原稿カバーを開放する方向へ過大な力が加えられた際に、当接箇所付近にある各種部材（例えばヒンジなど）に負荷が集中して、各種部材の破損を招くおそれがある。
【０００６】
一方、規制部が原稿カバー等に当接した時点で、原稿カバーがそれ以上変位するのを抑制する規制力が作用するものの、規制力に抗して原稿カバーを開放する方向へ力が加えられたら、原稿カバーが更に変位することは許容する、という構造とすることはできる。このような構造であれば、規制部が原稿カバー等に当接した時点で、当接箇所に急激に負荷が集中するのを避けることはできる。しかし、この場合、原稿カバーが過剰に変位を続けてしまうおそれがある。
【０００７】
本発明は、上記問題を解決するためになされたものであり、その目的は、原稿カバー部の変位を適度に規制することで、負荷がかかる箇所の破損を抑制しつつ、過剰な変位を抑制可能な画像読取装置を提供することにある。
【課題を解決するための手段】
【０００８】
以下、本発明において採用した構成について説明する。
本発明の画像読取装置は、原稿載置面を有する本体部と、前記本体部に設けられ、前記原稿載置面に載置された原稿の画像を読み取る読取部と、少なくとも第一位置から第二位置を経て第三位置に至る範囲を変位可能で、前記第一位置へ変位した際には前記原稿載置面を覆う一方、前記第二位置へ変位した際及び前記第三位置へ変位した際には前記原稿載置面を露出させる原稿カバー部と、前記本体部と前記原稿カバー部との間に介装されて、前記原稿カバー部を前記本体部に対して相対的に変位可能に支持するヒンジ部と、前記原稿カバー部が前記第一位置側から前記第二位置側へと変位した際、前記原稿カバー部が前記第二位置に到達すると前記原稿カバー部に当接して、前記原稿カバー部が前記第三位置側へ変位することを規制する第一規制部と、前記第一規制部による規制に抗して更に前記原稿カバー部が前記第二位置側から前記第三位置側へと変位した際、前記原稿カバー部が前記第三位置に到達すると前記原稿カバー部に当接して、前記原稿カバー部が前記第三位置を超えて変位することを規制する第二規制部とを備える。
【０００９】
このように構成された画像読取装置によれば、原稿カバー部に力が作用した場合には、まず第一規制部によって原稿カバー部の変位を規制することができる。一方、第一規制部だけでは原稿カバー部の変位を規制できないほど過大な力が原稿カバー部に作用した場合、原稿カバー部が第二位置を超えて変位するのを許容する。ただし、そのような場合でも、原稿カバー部が第三位置に達すれば、第二規制部によって原稿カバー部が過剰に変位することを規制できる。
【００１０】
したがって、単に第二位置相当の位置で原稿カバー部の変位を完全に阻止するものとは異なり、原稿カバー部の変位を阻止したことに起因して負荷がかかる部分（例えば、ヒンジ部や、その周辺にある部分など）が破損することを防止ないし抑制できる。また、第二位置相当の位置を超えて原稿カバー部が変位することを単に許容するものとも異なり、原稿カバー部が第三位置相当の位置に達したにもかかわらず、更に原稿カバー部が大きく変位してしまうことを抑制することができる。
【００１１】
ところで、本発明の画像読取装置においては、前記原稿カバー部が前記第三位置に到達した際に、前記第一規制部及び前記第二規制部の双方が、前記原稿カバー部が前記第三位置を超えて変位することを規制することが好ましい。
【００１２】
このように構成された画像読取装置によれば、原稿カバー部が第三位置に到達すると、第一規制部及び第二規制部は、双方とも原稿カバー部の変位を規制する。したがって、第二規制部が単独で原稿カバー部の変位を規制するものとは異なり、第一規制部に負荷を分散させることができ、その分だけ第二規制部にかかる負荷を低減することができる。
【００１３】
また、本発明の画像読取装置において、前記第一規制部は、前記ヒンジ部上で、前記原稿カバー部が前記第二位置へ変位した際に前記原稿カバー部に当接する位置に形成され、前記第二規制部は、前記本体部上で、前記原稿カバー部が前記第三位置へ変位した際に前記原稿カバー部に当接する位置に形成されていることが好ましい。
【００１４】
このように構成された画像読取装置によれば、原稿カバーが変位した位置に応じて、異なる部材によって変位を規制されるので、それら異なる部材に対して荷重を分散させることができる。したがって、単一の部材にすべての荷重がかかる場合に比べ、負荷の集中に起因する破損を抑制することができる。
【００１５】
また、本発明の画像読取装置において、前記本体部には、前記ヒンジ部が挿入されて当該ヒンジ部を摺動可能に保持する摺動部が設けられ、前記ヒンジ部は、前記原稿カバー部が前記第二位置を超えて変位する際に当該変位に伴って前記摺動部に対して摺動することが好ましい。
【００１６】
このように構成された画像読取装置によれば、第三位置を超える位置まで原稿カバー部が変位すると、その変位に伴ってヒンジ部が摺動部に対して摺動する。したがって、ヒンジ部が本体部に対して固定されているものとは異なり、ヒンジ部にかかる負荷が軽減される方向へヒンジ部が摺動するので、ヒンジ部に過大な負荷がかかることを抑制できる。
【００１７】
また、本発明の画像読取装置においては、前記摺動部の外側に、前記摺動部を補強する補強部が設けられていることが好ましい。
このように構成された画像読取装置によれば、摺動部の外側に補強部が設けられているので、ヒンジの摺動に伴って摺動部に負荷がかかったとしても、摺動部の変形や破損を補強部によって抑制することができる。
【００１８】
また、本発明の画像読取装置において、前記原稿カバー部は、前記ヒンジ部に対して回動可能で、前記摺動部は、前記ヒンジ部を囲む位置に配設された壁を有し、前記補強部は、前記壁の外面に突設されたリブによって構成され、前記リブは、前記原稿カバー部の前記ヒンジ部に対する回動中心と平行な方向を厚さ方向とする板状体によって構成されていることが好ましい。
【００１９】
このように構成された画像読取装置によれば、上述のようなリブが補強部として設けられているので、このリブによって摺動部の壁を補強し、摺動部の変形や破損を抑制することができる。
【００２０】
また、本発明の画像読取装置において、前記本体部には、前記リブの上方を覆う上部外装部が設けられ、前記上部外装部の上面は、前記原稿カバー部の前記ヒンジ部に対する回動中心よりも下側となる位置にあり、前記第二規制部は、前記上部外装部上で、前記原稿カバー部の前記ヒンジ部に対する回動中心から離間した位置に設けられていることが好ましい。
【００２１】
このように構成された画像読取装置によれば、第二規制部は、原稿カバー部の回動中心よりも下側、かつリブの上方で、原稿カバー部の回動中心から離間した位置に設けられるので、原稿カバー部を下方から支持して第三位置を超える位置への変位を規制することができる。
【００２２】
また、本発明の画像読取装置において、前記上部外装部は、前記摺動部から前記第二規制部までの間が、下方に向かって凹んだ形状とされていることが好ましい。
このように構成された画像読取装置によれば、上部外装部が上述のような凹んだ形状とされているので、原稿カバー部が変位した際に、原稿カバーが、上記凹んだ形状とされている部分には接触しにくく、第二規制部には接触しやすくなる。したがって、摺動部から第二規制部までの間が凹んでいない場合に比べ、原稿カバー部側の形状をより自由に設定できるようになる。
【図面の簡単な説明】
【００２３】
【図１】複合機全体の外観を示す斜視図。
【図２】複合機の内部構成を示すブロック図。
【図３】（ａ）は複合機の平面図、（ｂ）は本体部の平面図。
【図４】複合機の左側面図。
【図５】原稿カバー部及びヒンジ部の挙動を示す説明図。
【図６】図５（ａ）にＡ−Ａ線で示した箇所の断面図。
【発明を実施するための形態】
【００２４】
次に、本発明の実施形態について一例を挙げて説明する。本実施形態においては、画像読取装置の一例として、画像読取装置としての機能（スキャン機能）に加え、その他の機能（例えば、プリント機能、コピー機能、ファクシミリ送受信機能など）を兼ね備えた複合機として構成されたものを例示する。
【００２５】
なお、以下の説明においては、複合機の各部について、図中に併記した上下左右前後の各方向を利用して説明を行う。ただし、これらの各方向は、複合機各部の相対的な位置関係を簡潔に説明するために利用するものに過ぎず、複合機が設置される場所との相対位置や複合機と利用者との相対位置などを規定するものではない。
【００２６】
［複合機の構造］
図１に示すように、複合機１は、本体部３と、本体部３の上側に取り付けられた原稿カバー部４とを備えている。本体部３は、下側本体３Ａと、下側本体３Ａの上側に搭載された上側本体３Ｂとを備えている。
【００２７】
下側本体３Ａの前側上部には、利用者によって操作される操作部６が設けられている。下側本体３Ａの下部には、印刷前の被記録媒体が収納される給紙カセット８が装着されている。下側本体３Ａの前側で、操作部６の下方、給紙カセット８の上方となる位置には、印刷後の被記録媒体を取り出すための取出口９が設けられている。
【００２８】
下側本体３Ａは、図２に示すように、上述した操作部６の他、制御部１１、画像形成部１２、ＬＡＮ通信部１３、ＰＳＴＮ通信部１４などを備える。制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００２９】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３０】
操作部６は、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）を備える。
【００３１】
上側本体３Ｂは、読取部２０を備えている。この読取部２０は、フラットベッド型イメージスキャナに相当する構成を備えている。具体的には、複数の読取素子を有するライン型のイメージセンサ２１と、イメージセンサ２１を支持するキャリッジ２３と、モータ２５と、モータ２５によって駆動されるギヤ機構２７と、ギヤ機構２７によって駆動されるタイミングベルト２９などを備えている。
【００３２】
本実施形態の場合、イメージセンサ２１は、密着イメージセンサ（ＣＩＳ；Contact Image Sensor）とされている。キャリッジ２３は、タイミングベルト２９に連結されている。モータ２５は、制御部１１のインターフェース部１１Ｅに設けられたモータ駆動部１１Ｆから駆動信号を受けて作動する。モータ２５が発生させた動力は、ギヤ機構２７及びタイミングベルト２９を介してキャリッジ２３へと伝達される。その結果、キャリッジ２３はイメージセンサ２１とともに図１中に示した右方向及び左方向へ移動する。
【００３３】
原稿カバー部４は、原稿搬送部３０を備えている。この原稿搬送部３０は、ＡＤＦ（Automatic Document Feeder；自動原稿送り装置）に相当する構成を備える。具体的には、原稿搬送部４Ａは、原稿を所定の搬送経路に沿って搬送する搬送ローラ３１〜３９と、モータ４１と、モータ４１によって駆動されるギヤ機構４３などを備える。モータ４１は、制御部１１のインターフェース部１１Ｅに設けられたモータ駆動部１１Ｇから駆動信号を受けて作動する。モータ４１が発生させた動力は、ギヤ機構４３を介して搬送ローラ３１〜３９へと伝達される。搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。このような原稿搬送部３０と読取部２０が協働することで、複合機１がＡＤＦ型イメージスキャナとして機能する。
【００３４】
［本体部及び原稿カバー部の詳細］
原稿カバー部４は、図３（ａ）に示すように、原稿カバー部４の後端側に配設された第一ヒンジ部５１及び第二ヒンジ部５２を介して本体部３に取り付けられている。本体部３の上面には、図３（ｂ）に示すように、第一ヒンジ部５１及び第二ヒンジ部５２それぞれの下端側が挿し込まれる摺動部５３が設けられている。これら摺動部５３により、第一ヒンジ部５１及び第二ヒンジ部５２は、本体部３に対しては上下方向へ摺動可能に支持されている。
【００３５】
本体部３の上面で、原稿カバー部４が閉位置へ変位した際に原稿カバー部４によって覆われる位置には、透明なガラスによって構成された原稿載置面５５が設けられている。上述の読取部２０は、原稿載置面５５の下方に配置されており、原稿載置面５５に載置された原稿の画像を読み取ることができる。
【００３６】
第一ヒンジ部５１及び第二ヒンジ部５２は、左右方向に延びる仮想的な軸線Ａｒ（図３（ａ）及び図４参照。）を回動中心として、原稿カバー部４を回動可能に支持している。これにより、原稿カバー部４は、図４に示すように、閉開動作可能となっている。
【００３７】
この原稿カバー部４の開閉動作を更に詳細に説明する。本実施形態の場合、原稿カバー部４は、図５（ａ）に示す第一位置から、図５（ｂ）に示す第二位置を経て、図５（ｃ）に示す第三位置へ変位し、更に第三位置を超える位置（例えば、図５（ｄ）に例示する第四位置。）にまで変位可能とされている。なお、上記「第三位置を超える位置」は、図５（ｄ）に例示した回動角度以外でも構わないことはもちろんである。
【００３８】
原稿カバー部４が第一位置へ変位した場合（図５（ａ）参照。）、原稿カバー部４は原稿載置面５５を覆う状態になる。一方、第一位置へ変位した状態にある原稿カバー部４の前端を持ち上げて、原稿カバー部４を第二位置へ変位させると（図５（ｂ）参照。）、原稿カバー部４に設けられた第一当接部５７が、第一ヒンジ部５１及び第二ヒンジ部５２に設けられた第一規制部６１に当接する（図５（ｂ）では第一ヒンジ部５１の第一規制部６１を例示。）。
【００３９】
第一規制部６１は、原稿カバー部４が第二位置を超える位置へ変位しそうになると、その動きを規制する規制力を第一当接部５７に作用させる部分である。ただし、原稿カバー部４は、第一規制部６１によって動きが規制されても、その規制力を上回る外力が加えられれば更に第二位置を超える方向へ変位する。
【００４０】
原稿カバー部４が第二位置を超える位置へ変位する際には、第一ヒンジ部５１及び第二ヒンジ部５２が、原稿カバー部４に追従して傾くとともに上方へと摺動する。これにより、第一規制部６１のみに過大な荷重が集中することはなくなり、第一規制部６１にかかる負荷は緩和されることになる。
【００４１】
そして、原稿カバー部４が第三位置に達すると（図５（ｃ）参照。）、原稿カバー部４が第二規制部６２に当接する。第二規制部６２は、本体部３の上部外装部６５の後端側から上方へ向かって突出する突出部分によって構成され、図３（ａ）に示すように、第一ヒンジ部５１及び第二ヒンジ部５２に対応する二か所に設けられている。
【００４２】
上部外装部６５の上面は、原稿カバー部４の第一ヒンジ部５１及び第二ヒンジ部５２に対する回動中心よりも下側となる位置にあり、第二規制部６２は、上部外装部６５上で、原稿カバー部４の回動中心から離間した位置に設けられている。また、上部外装部６５は、摺動部５３から第二規制部６２までの間が、下方に向かって凹んだ形状とされている。
【００４３】
第二規制部６２には、原稿カバー部４の第二当接部６７が当接し、原稿カバー部４が第三位置を超える位置へ変位しそうになると、その動きを規制する規制力を第二当接部６７に作用させる。ただし、原稿カバー部４は、第二規制部６２によって動きが規制されても、その規制力を上回る外力が加えられれば更に第三位置を超える方向へ変位する。
【００４４】
原稿カバー部４が第三位置を超える位置へ変位する際には（図５（ｄ）参照。）、第一ヒンジ部５１及び第二ヒンジ部５２が、原稿カバー部４に追従して図５（ｃ）に示す位置よりも更に上方へと摺動する。これにより、第一規制部６１及び第二規制部６２の双方に負荷が分散し、第一規制部６１にかかる負荷のみが増大するのを抑制することができる。
【００４５】
また、本実施形態において、摺動部５３をなす壁の外側には、図６に示すように、摺動部５３を補強する補強部６９が設けられている。この補強部６９は、原稿カバー部４の回動中心と平行な左右方向を厚さ方向とする板状のリブによって構成され、このようなリブが摺動部５３をなす後壁外面から後方に向かって突設されることで、摺動部５３の曲げ剛性を高めている。なお、上述した上部外装部６５は、補強部６９として設けられたリブの上方を覆う位置にある。
【００４６】
［効果］
以上のように構成された複合機１によれば、原稿カバー部４に力が作用する場合には、まず第一規制部６１によって原稿カバー部４の変位を規制することができる。一方、第一規制部６１だけでは原稿カバー部４の変位を規制できないほど過大な力が原稿カバー部４に作用した場合、原稿カバー部４が第二位置を超えて変位するのを許容する。ただし、そのような場合でも、原稿カバー部４が第三位置に達すれば、第二規制部６２によって原稿カバー部４が過剰に変位することを規制できる。
【００４７】
したがって、単に第二位置相当の一か所のみで原稿カバー部４の変位を完全に阻止するものとは異なり、原稿カバー部４の変位を阻止したことに起因して負荷がかかる部分が破損することを防止ないし抑制できる。
【００４８】
また、第二位置相当の位置を超えて原稿カバー部４が変位することを単に許容するものとも異なり、原稿カバー部４が第三位置相当の位置に達したにもかかわらず、更に原稿カバー部４が大きく変位してしまうことを、より強く抑制することができる。
【００４９】
特に、上記複合機１の場合、原稿カバー部４が第三位置に到達すると、第一規制部６１及び第二規制部６２が双方とも原稿カバー部４の変位を規制するので、第二規制部相当物が単独で原稿カバー部４の変位を規制するものとは異なり、第一規制部６１及び第二規制部６２の双方に負荷を分散させることができる。
【００５０】
また、上記複合機１では、第一規制部６１を第一ヒンジ部５１及び第二ヒンジ部５２に形成し、第二規制部６２を原稿カバー部４に形成してあるので、異なる部材に対して荷重を分散させることができる。したがって、単一の部材にすべての荷重がかかる場合に比べ、負荷の集中に起因する破損を抑制することができる。
【００５１】
また、上記複合機１によれば、原稿カバー部４の変位に伴って第一ヒンジ部５１及び第二ヒンジ部５２が摺動部５３に対して摺動するので、第一ヒンジ部５１及び第二ヒンジ部５２が本体部３に対して固定されているものとは異なり、第一ヒンジ部５１及び第二ヒンジ部５２にかかる負荷を軽減することができる。
【００５２】
また、上記複合機１によれば、摺動部５３の外側に補強部６９が設けられているので、第一ヒンジ部５１及び第二ヒンジ部５２の摺動に伴って摺動部５３に負荷がかかったとしても、摺動部５３の変形や破損を補強部６９によって抑制することができる。
【００５３】
［その他の実施形態］
以上、本発明の実施形態について説明したが、本発明は上記の具体的な一実施形態に限定されず、この他にも種々の形態で実施することができる。
【００５４】
例えば、上記実施形態においては、補強部６９となるリブを、摺動部５３の後壁外側に設けてあったが、摺動部５３の前壁、左壁、右壁などにもリブを設けて、更に摺動部５３の剛性を高めてもよい。
【００５５】
また、上記実施形態では、原稿カバー部４が第三位置まで変位すると、第一規制部６１及び第二規制部６２の双方で原稿カバー部４の変位を規制するように構成してあったが、これに限らない。例えば、原稿カバー部４が第三位置まで変位した時点で、第一規制部６１による規制が解除され、それと同時に第二規制部６２による規制が開始される、といった構成にしてもよい。
【００５６】
また、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用してもよい。
【符号の説明】
【００５７】
１…複合機、３…本体部、３Ａ…下側本体、３Ｂ…上側本体、４…原稿カバー部、４Ａ…原稿搬送部、６…操作部、８…給紙カセット、９…取出口、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１１Ｆ…モータ駆動部、１１Ｇ…モータ駆動部、１２…画像形成部、１３…ＬＡＮ通信部、１４…ＰＳＴＮ通信部、２０…読取部、２１…イメージセンサ、２３…キャリッジ、２５…モータ、２７…ギヤ機構、２９…タイミングベルト、３０…原稿搬送部、３１〜３９…搬送ローラ、４１…モータ、４３…ギヤ機構、５１…第一ヒンジ部、５２…第二ヒンジ部、５３…摺動部、５５…原稿載置面、５７…第一当接部、６１…第一規制部、６２…第二規制部、６５…上部外装部、６７…第二当接部、６９…補強部。
【図１】
2014110470.tif 000003
【図２】
2014110470.tif 000004
【図３】
2014110470.tif 000005
【図４】
2014110470.tif 000006
【図５】
2014110470.tif 000007
【図６】
2014110470.tif 000008